(57)【要約】【課題】飲料用缶に取り付けた状態で、縦方向に安定した状態で積み重ねることができる飲料用缶の景品収納用キャップを提供する。【課題の解決手段】上縁に缶リブ１１を有するとともに、下面には環状突部１２が形成された飲料用缶１０に着脱可能に取り付けるようになした景品収納用キャップ１であって、樹脂製で、上面２と周面３を有して下面は開放されてなり、拡径された下端部の内周面には、飲料用缶１０の缶リブ１１に係合するための周方向に所定間隔をおいて形成された内側に凹入する複数の凹入部４を有し、上面２には、飲料用缶１０の環状突部１２を収容する環状溝５を有する。【選択図】図４
0003210245.tif 000002
【実用新案登録請求の範囲】
【請求項１】
上縁に缶リブを有するとともに、下面には環状突部が形成された飲料用缶に着脱可能に取り付けるようになした景品収納用キャップであって、樹脂製で、上面と周面を有して下面は開放されてなり、下端部の内周面には、前記飲料用缶の缶リブに係合する係合部を有し、上面には、前記飲料用缶の環状突部を収容する環状溝を有することを特徴とする景品収納用キャップ。
【請求項２】
前記係合部は、周方向に所定間隔をおいて形成された内側に凹入する複数の凹入部からなることを特徴とする請求項１記載の景品収納用キャップ。
【考案の詳細な説明】
【技術分野】
【０００１】
本考案は、その内部に景品を収納して飲料用缶の上端に着脱可能に取り付ける景品収納用キャップに関し、特に、底面に環状突部を有する飲料用缶に適用して好適な景品収納用キャップに関する。
【背景技術】
【０００２】
従来の飲料用缶の上端に着脱可能に取り付ける景品収納用キャップは、全面的に平面状の上面と、上面に連続する周面を有し、下面は開放され、下端内周面に係合用の突起部を、周方向に所定間隔をおいて複数設け、前記突起部によって飲料用缶の上端部に係脱可能に係合支持されるものである（特許文献１）。そして従来、前記突起部には数種類の異なる構成が知られているが、上面全体が平面なのは、景品収納用キャップに共通する構成である。
【先行技術文献】
【特許文献】
【０００３】
【特許文献１】実用新案登録第３１６５３３７号公報
【考案の概要】
【考案が解決しようとする課題】
【０００４】
このように、従来の景品収納用キャップは、上面が全面的に平面であるため、景品収納用キャップを上端に取り付けた飲料用缶を、縦方向に積み重ねると、飲料用缶の構成にかかわらず、安定した状態を維持できず、すぐに崩れてしまっていた。このため、飲料用缶に景品収納用キャップを取り付けた状態で、縦方向に複数個積み重ねて、安定した状態で保管し、あるいは店頭に陳列することができない、という不都合があった。
【０００５】
本考案は、上記不都合を解消し、景品収納用キャップを取り付けた飲料用缶を、安定した状態で、縦方向に複数個積み重ねることができる、飲料用缶の景品収納用キャップを提供するもので、特に、底面に環状の突縁を有する飲料用缶に適用して好適な景品収納用キャップを提供することを目的とする。
【課題を解決するための手段】
【０００６】
前記目的を達成するために、請求項１に係る本考案の景品収納用キャップは、上縁に缶リブを有するとともに、下面には環状突部が形成された飲料用缶に着脱可能に取り付けるようになした景品収納用キャップであって、樹脂製で、上面と周面を有して下面は開放されてなり、下端内周面には、前記飲料用缶の缶リブに係合する係合部を有し、上面には、前記飲料用缶の環状突部を収容する環状溝を有するものである。
【０００７】
また、請求項２に係る本考案の景品収納用キャップは、上縁に缶リブを有するとともに、下面には環状突部が形成された飲料用缶に着脱可能に取り付けるようになした景品収納用キャップであって、樹脂製で、上面と周面を有して下面は開放されてなり、下端内周面には、前記飲料用缶の缶リブに係合する係合部を有し、上面には、前記飲料用缶の環状突部を収容する環状溝を有し、前記係合部は、周方向に所定間隔をおいて形成された内側に凹入する複数の凹入部からなるものである。
【考案の効果】
【０００８】
請求項１に係る本考案の景品収納用ケースによれば、景品収納用キャップを飲料用缶の缶リブに係合部を係合して取り付けた状態で、景品収納用キャップの上面の環状溝に、飲料用缶の下面の環状突部を収容することにより、飲料用缶をキャップ上面に安定した状態で保持して、縦方向に積み重ねることができるので、保管時や店頭での陳列時にスペースを有効に活用ができるという効果を奏する。
【０００９】
また、請求項２に係る本考案の景品収納用ケースによれば、前記請求項１に係る考案の効果に加え、係合部が、周方向に所定間隔をおいて形成された内側に凹入する複数の凹入部からなるので、構造が簡潔で安価に製造でき、また、飲料用缶の缶リブに対する係脱も容易、かつ確実になし得るという効果を奏する。
【図面の簡単な説明】
【００１０】
【図１】本考案に係る景品収納用キャップを飲料用缶に取り付けた状態を示す斜視図。
【図２】同じく景品収納用キャップの平面図。
【図３】同じく断面図である。
【図４】同じく景品収納用キャップを取り付けた飲料用缶の積み重ね状態を説明する側面図。
【考案を実施するための形態】
【００１１】
以下に、本考案の好適な実施形態を添付図面の図１〜図４に基づいて詳細に説明するが、まず、適用対象となる飲料用缶の構成を説明する。図１及び図４に示すように、飲料用缶１０は、従来公知の構成で有り、上端周縁に缶リブ１１を有し、底面には環状突部１２を有し、上面には開口用のプルタブ（図示せず）を有している。
【００１２】
図１〜図３に示すように、飲料用缶１０の上端に装着する景品収納用キャップ（以下単に「キャップ」という。）１は、樹脂を一体成型してなり、上面２と、この上面に続く周面３を有し、下面は開放されている。そして、前記周面３の拡径された下端部の内周面には、前記飲料用缶１０の缶リブ１１に係合する係合部を有し、この係合部は、周方向に所定間隔をおいて形成された内側に凹入する複数の凹入部４からなる。また、前記上面２には、前記飲料用缶１０の環状突部１２（図４参照）を収容する環状溝５を設けている。なお、前記キャップ１内に景品（図示せず）を収納して、前記キャップ１を前記飲料用缶１０に取り付けるものである。
【００１３】
ここで、以上のように構成したキャップ１を飲料用缶１０に取り付けて商品とする手順を説明する。まず、キャップ１内に消費者の興味を引く景品を入れる。次に、この景品を収納した状態で、缶リブ１１にキャップ１の下端を被せるようにして押し下げると、各凹入部４が缶リブ１１を乗り越えて缶リブ１１の下縁に係合する。このようにして、図１及び図４に示すように、キャップ１が取り付けられた飲料用缶１０は商品となる。
【００１４】
このキャップ１を装着した飲料用缶１０を、保管し、あるいは店頭で陳列する場合に、前記キャップ１の環状溝５に、他の飲料用缶１０の環状突部１２を収めて重ねることによって、キャップ１を取り付けた複数の飲料用缶１０を安定した状態で積み重ねることができる（図４参照）。
【００１５】
一方、この商品を購入した消費者は、飲料用缶１０に装着されているキャップ１を所定以上の力で引き上げると、各凹入部４が缶リブ１１を乗り越えるので、キャップ１を飲料用缶１０から取り外すことができる。そして、キャップ１内に収納されていた景品を手にすることができる。
【００１６】
なお、本考案は前記実施形態に何ら限定されるものではなく、例えば、係合部は複数の凹入部４で形成するほか、断面が三角形や半円形の突起部で形成することもできる。また、キャップ１の強度を高めるために、内周面に複数の縦リブを設けることができる。さらに、環状溝５の幅や深さは適用する飲料用缶１０の環状突部１２に適合するよう適宜設定されるものである。
【符号の説明】
【００１７】
１    キャップ
２    上面
３    周面
４    凹入部
５    環状溝
１０    飲料用缶
１１    缶リブ
１２    環状突部
【図１】
0003210245.tif 000003
【図２】
0003210245.tif 000004
【図３】
0003210245.tif 000005
【図４】
0003210245.tif 000006